【手続補正書】
【提出日】平成16年2月2日(2004.2.2)
【手続補正１】
【補正対象書類名】明細書
【補正対象項目名】発明の名称
【補正方法】変更
【補正の内容】
【発明の名称】暗号化データの生成方法、暗号化データの記録装置、情報記録媒体、暗号化データの復号方法、情報記録媒体再生装置、暗号化データの送出方法、暗号化データの受信装置、データの生成方法、データの再生方法
【手続補正２】
【補正対象書類名】明細書
【補正対象項目名】特許請求の範囲
【補正方法】変更
【補正の内容】
【特許請求の範囲】
【請求項１】
暗号鍵を用いてデータを暗号化し、暗号化データを生成するステップと、
該暗号化データを復号する復号鍵を、該暗号化データに先行する暗号化データに電子透かしとして埋め込むステップと、
を有することを特徴とする暗号化データの生成方法。
【請求項２】
暗号鍵を用いてデータを暗号化し、暗号化データを生成するステップと、
該暗号化データを復号する復号鍵および再生制限を行うための情報である著作権管理情報を、該暗号化データに先行する暗号化データに電子透かしとして埋め込むステップと、
を有することを特徴とする暗号化データの生成方法。
【請求項３】
データを暗号化する際に用いる暗号鍵を生成する暗号鍵生成手段と、
前記暗号鍵を用いて前記データを暗号化データに変換する暗号化手段と、
前記暗号化データを復号化する際に用いる復号鍵を生成する復号鍵生成手段と、
前記復号鍵を前記暗号化データに先行する暗号化データに電子透かしとして埋め込む電子透かし埋め込み手段と、
前記電子透かしが埋め込まれた暗号化データを記録媒体に記録する記録手段と、
を具備することを特徴とする暗号化データの記録装置。
【請求項４】
データを暗号化する際に用いる暗号鍵を生成する暗号鍵生成手段と、
前記暗号鍵を用いて前記データを暗号化データに変換する暗号化手段と、
前記暗号化データを復号化する際に用いる復号鍵を生成する復号鍵生成手段と、
前記復号鍵および再生制限を行うための情報である著作権管理情報を前記暗号化データに先行する暗号化データに電子透かしとして埋め込む電子透かし埋め込み手段と、
前記電子透かしが埋め込まれた暗号化データを記録媒体に記録する記録手段と、
を具備することを特徴とする暗号化データの記録装置。
【請求項５】
データに対し暗号鍵を用いて暗号化した暗号化データと、
前記暗号化データを復号するための復号鍵と、
を記録した情報記録媒体において、
前記復号鍵は、前記暗号化データに先行する暗号化データに電子透かしとして埋め込まれていることを特徴とする情報記録媒体。
【請求項６】
データに対し暗号鍵を用いて暗号化した暗号化データと、
前記暗号化データを復号するための復号鍵と、
再生制限を行うための情報である著作権管理情報と、
を記録した情報記録媒体において、
前記復号鍵および前記著作権管理情報は、前記暗号化データに先行する暗号化データに電子透かしとして埋め込まれていることを特徴とする情報記録媒体。
【請求項７】
第１の復号鍵で複号される第１の暗号化データには第２の復号鍵が電子透かしとして埋め込まれており、
第２の暗号化データは、先行する第１の暗号化データに埋め込まれた第２の復号鍵を用いて復号されることを特徴とする暗号化データの復号方法。
【請求項８】
第１の復号鍵で複号され第１の著作権管理情報で再生制限される第１の暗号化データには第２の復号鍵および第２の著作権管理情報が電子透かしとして埋め込まれており、
第２の暗号化データは、先行する第１の暗号化データに埋め込まれた第２の復号鍵を用いて復号され、先行する第１の暗号化データに埋め込まれた第２の著作権管理情報に従い再生制限されることを特徴とする暗号化データの復号方法。
【請求項９】
暗号化データが記録された記録媒体から、前記暗号化データを再生する再生手段と、
前記暗号化データに埋め込まれた電子透かしから、暗号化データを復号するための復号鍵を検出する復号鍵検出手段と、
前記復号鍵を用いて前記暗号化データに続く暗号化データを復号する復号手段と、
を具備することを特徴とする情報記録媒体再生装置。
【請求項１０】
暗号化された暗号化データが記録された記録媒体から、前記暗号化データを再生する再生手段と、
前記暗号化データに埋め込まれた電子透かしから、暗号化データを復号するための復号鍵を検出する復号鍵検出手段と、
前記暗号化データに埋め込まれた電子透かしから、再生制限を行うための情報である著作権管理情報を検出する著作権管理情報検出手段と、
前記復号鍵を用いて前記暗号化データに続く暗号化データを復号する復号手段と、
前記著作権管理情報に従って前記暗号化データに続く暗号化データの再生制御を行う制御手段と、
を具備することを特徴とする情報記録媒体再生装置。
【請求項１１】
データを暗号化する際に用いる暗号鍵を生成する暗号鍵生成手段と、
前記暗号鍵を用いて前記データを暗号化データに変換する暗号化手段と、
前記暗号化データを復号化する際に用いる復号鍵を生成する復号鍵生成手段と、
前記復号鍵を前記暗号化データに先行する暗号化データに電子透かしとして埋め込む電子透かし埋め込み手段と、
前記電子透かしが埋め込まれた暗号化データを伝送路に伝送する伝送手段と、
を具備することを特徴とする暗号化データの送出装置。
【請求項１２】
データを暗号化する際に用いる暗号鍵を生成する暗号鍵生成手段と、
前記暗号鍵を用いて前記データを暗号化データに変換する暗号化手段と、
前記暗号化データを復号化する際に用いる復号鍵を生成する復号鍵生成手段と、
前記復号鍵および再生制限を行うための情報である著作権管理情報を前記暗号化データに先行する暗号化データに電子透かしとして埋め込む電子透かし埋め込み手段と、
前記電子透かしが埋め込まれた暗号化データを伝送路に伝送する伝送手段と、
を具備することを特徴とする暗号化データの送出装置。
【請求項１３】
データが伝送される伝送路から、暗号鍵を用いて暗号化された暗号化データを受信する受信手段と、
前記暗号化データに埋め込まれた電子透かしから、前記暗号化データを復号するための復号鍵を検出する復号鍵検出手段と、
前記復号鍵を用いて前記暗号化データに続く暗号化データを復号する復号手段と、
を具備することを特徴とする暗号化データの受信装置。
【請求項１４】
データが伝送される伝送路から、暗号鍵を用いて暗号化された暗号化データを受信する受信手段と、
前記暗号化データに埋め込まれた電子透かしから、前記暗号化データを復号するための復号鍵を検出する復号鍵検出手段と、
前記暗号化データに埋め込まれた電子透かしから、再生制限を行うための情報である著作権管理情報を検出する著作権管理情報検出手段と、
前記復号鍵を用いて前記暗号化データに続く暗号化データを復号する復号手段と、
前記著作権管理情報に従って前記暗号化データに続く暗号化データの再生制御を行う制御手段と、
を具備することを特徴とする暗号化データの受信装置。
【請求項１５】
第１の著作権管理情報で再生制限される第１のデータと、第２の著作権管理情報で再生制限される第２のデータと、を含むデータを生成するデータの生成方法であって、
前記第１のデータは、前記第２のデータに先行するデータであり、
前記第１のデータには、前記第２の著作権管理情報が電子透かしとして埋め込まれていることを特徴とするデータの生成方法。
【請求項１６】
第１の著作権管理情報で再生制限される第１のデータには第２の著作権管理情報が電子透かしとして埋め込まれており、
第２のデータは、先行する第１のデータに埋め込まれた第２の著作権管理情報に従い再生制限されることを特徴とするデータの再生方法。